(57)【要約】【課題】被検者の撮影部位に相当する肌が装置の表面に触れても冷たさを感じさせないＸ線撮影装置を提供する。【解決手段】ブッキー撮影装置１のＸ線入射側の表面に発熱シート３が設けられ、外部に設けられた制御回路３ｃで発熱シート３の温度を、被検者の素肌が触れても常に心地よい温度に調整される。そして、ブッキー撮影装置１にフイルムカセッテを装着し、ブッキー撮影装置１の高さが被検者の撮影部位になるように、スタンド２のガイドレール２ａに沿って上下調節し、被検者を装置側に接触させ、一時的に息を止めさせ、Ｘ線照射を行う。その時、内部のブッキー装置のグリッドが移動し撮影が完了する。【選択図】          図１
2005021233.tif 000002
【特許請求の範囲】
【請求項１】
Ｘ線撮影を行うために被検者を撮影台に位置付けしＸ線像を撮像手段によって記録するＸ線撮影装置であって、被検者側の前記撮影台の表面にＸ線透過性の良い絶縁シートで覆われた発熱素子からなる発熱シートと、その端部に取付けられ前記発熱シートに電流を供給する電極を設けたことを特徴とするＸ線撮影装置。
【請求項２】
Ｘ線撮影を行うために被検者を撮影台に位置付けしＸ線像を撮像手段によって記録するＸ線撮影装置であって、被検者側の前記撮影台の表面にＸ線透過性の良い絶縁シートで覆われた発熱素子からなる発熱シートと、その端部に取付けられ前記発熱シートに電流を供給する電極と、外部にその電流を調節する制御回路とを設けたことを特徴とするＸ線撮影装置。
【発明の詳細な説明】
【０００１】
【発明の属する技術分野】
本発明は、Ｘ線撮影装置に係わり、特に、Ｘ線撮影のために、立位式撮影台（撮影スタンド）、水平式撮影台（撮影テーブル）、透視撮影台などに被検者を載せ、位置決めしてＸ線像をフイルムなどに記録するＸ線撮影装置に関する。
【０００２】
【従来の技術】
撮影を行うために被検者を位置付けするＸ線撮影台には、直接撮影台、間接撮影台、断層撮影台、透視撮影台、Ｘ線ＣＴ撮影台、特殊撮影台などがある。そして、Ｘ線診断のために、人体の位置決めができ、Ｘ線像を直接フイルムなどに記録する直接撮影台が多く使われる。直接撮影台の代表的なものとして、立位式にあっては胸部撮影用として高電圧による撮影が行われるブッキー撮影装置（高圧リーダ）を備えたものが主流となり、また、水平式でもブッキー撮影装置が使用されている。
図３に、ブッキー撮影装置１を備えた立位式撮影台を示す。
立位式撮影台（撮影スタンド）は、ブッキー撮影装置１をスタンド２に設けられたガイドレール２ａに沿って上下させ、被検者の撮影部位に合わせて位置決めされる。一般に検査室の壁近くの床に固定され、天井懸垂式のＸ線管装置と組み合わせて遠距離から主として胸部撮影が行われる。
ブッキー撮影装置１は、前面に保護カバー１ｃを有する本体ケースと、グリッドとそのグリッドを移動させる移動機構を備えたブッキー装置１ｂと、フイルムがセットされるフイルムカセッテ１ａ用のカセッテトレーとから構成される。ブッキー装置１ｂには、Ｘ線撮影中にグリッドを往復運動させるレシプロ型が多く用いられ、散乱線を除去すると同時に、グリッドの縞目を見えないようにしている。本体ケースはアルミ合金材などで製作され、前面の保護カバー１ｃは、プラスティックの板などが用いられている。
【０００３】
また、従来の直接撮影台、間接撮影・断層撮影台、透視撮影台、Ｘ線ＣＴ撮影台、特殊撮影台などのＸ線撮影装置は、被検者の載せられる天板の材質が、アクリル樹脂、又は木などを特殊処理した合板が使われている（例えば、特許文献１参照。）。
【０００４】
【特許文献１】
特開２０００−２７９４０５号公報  （第６頁、第１図、第７頁、図３）
【０００５】
【発明が解決しようとする課題】
従来のＸ線撮影装置は以上のように構成されているが、Ｘ線撮影を行う時は撮影部位にＸ線を吸収する衣類などを付けて撮影するのでなく、直接肌を出し装置の表面に接触して、しばらく息を止め静止させて撮影が行われる。このとき被検者の肌が装置の表面に接触するため、被検者は装置の表面に熱を奪われ冷たさを感じ苦痛になるという問題がある。
【０００６】
本発明は、このような事情に鑑みてなされたものであって、被検者の撮影部位に相当する肌が装置の表面に触れても冷たさを感じさせないＸ線撮影装置を提供することを目的とする。
【０００７】
【課題を解決するための手段】
上記の目的を達成するため、本発明のＸ線撮影装置は、Ｘ線撮影を行うために被検者を撮影台に位置付けしＸ線像を撮像手段によって記録するＸ線撮影装置であって、被検者側の前記撮影台の表面にＸ線透過性の良い絶縁シートで覆われた発熱素子からなる発熱シートと、その端部に取付けられ前記発熱シートに電流を供給する電極を設けたものである。
【０００８】
また、本発明のＸ線撮影装置は、Ｘ線撮影を行うために被検者を撮影台に位置付けしＸ線像を撮像手段によって記録するＸ線撮影装置であって、被検者側の前記撮影台の表面にＸ線透過性の良い絶縁シートで覆われた発熱素子からなる発熱シートと、その端部に取付けられ前記発熱シートに電流を供給する電極と、外部にその電流を調節する制御回路とを設けたものである。
【０００９】
本発明のＸ線撮影装置は上記のように構成されており、撮影台の表面にＸ線透過性の良い絶縁された発熱シートが設けられ、その端部に設けられた電極から電流が供給され、外部に設けられた制御回路でその電流が調節される。そして、被検者が撮影台表面に素肌が触れても冷たさを感じさせない表面温度にされる。これにより被検者は冷たい思いをせずに安心して装置に接し、又は載せられる。
【００１０】
【発明の実施の形態】
本発明のＸ線撮影装置の一実施例を、図１を参照しながら説明する。図１は本発明のＸ線撮影装置の立位式撮影台を示す図である。
本発明のＸ線撮影装置は、装置を支持するスタンド２と、被検者のＸ線撮影を行うブッキー撮影装置１と、ブッキー撮影装置１のＸ線入射面に設けられ被検者の素肌が触れても冷たさを感じさせない発熱シート３と、その発熱シート３の両端辺に設けられた電極３ｄに電力を供給し温度を調整する制御回路３ｃとから構成される。
【００１１】
本Ｘ線撮影装置と従来の装置と異なるところは、従来の装置は、図３に示すように、ブッキー撮影装置１のＸ線入射面の保護カバー１ｃの材質に、アクリル樹脂が使われ、又通常の透視撮影台では木などを特殊処理した天板が使われ、ブッキー撮影機構を有しない撮影スタンドなどではグリッドが表面にはめ込まれており、撮影時に被検者の素肌が触れると冷たさを感じるが、本Ｘ線撮影装置は、ブッキー撮影装置１（他の装置についても同様）のＸ線入射面に発熱シート３が設けられ、外部に設けられた制御回路３ｃによって発熱シート３が心地よい温度に調整される。そのため被検者の素肌が触れても、苦痛な思いをすることなく安静にして撮影を行うことができる。
【００１２】
次に、本Ｘ線撮影装置の構成部について説明する。
スタンド２は、立位式受像部移動型の直接撮影台用に用いられ、ブッキー撮影装置１を被検者の撮影部位に合わせ、ガイドレール２ａに沿って上下動させ位置決めするもので、胸部撮影が主で、リーダー撮影台、ブッキー撮影台などに使われる。
ブッキー撮影装置１は、前面に発熱シート３が貼り付けられ、本体ケースと、その内部にグリッドとそのグリッドを移動させる移動機構を備えたブッキー装置と、フイルムがセットされるフイルムカセッテ用のカセッテトレーとから構成される。ブッキー装置には、Ｘ線撮影中にグリッドを往復運動させるレシプロ型が多く用いられ、散乱線を除去すると同時に、グリッドの縞目を見えないようにしている。本体ケースはアルミ合金材などで製作され、前面に発熱シート３が貼り付けられている。
発熱シート３は、Ｘ線透過性の良い材質からなり、ブッキー撮影装置１のＸ線入射面に貼り付けられる。発熱シート３は、発熱素子３ａと、その両面に貼り付けられた絶縁シート３ｂと、発熱素子３ａの上下の端辺に設けられ発熱素子３ａに電流を供給する電極３ｄと、そのケーブル３ｅから構成される。
発熱素子３ａは、Ｘ線透過性の良い材料、例えば、導電性樹脂（カーボンブラック・グラフトポリマー）を発熱素材とし、耐熱性のエポキシ樹脂含浸ガラスクロスまたはポリエステルフイルム等の絶縁材料で一体成形し、シート状にしてフレキシブルな状態に仕上げられる。厚さは０．２８〜１．８ｍｍ程度まで薄くでき、交流または直流の電流を流すことによって抵抗加熱により、表面温度を室温〜１２０℃程度まで上げることができる。そして、広い発熱面積で温度分布を均一にでき、耐久性、耐水性、耐薬品性に優れ、ブッキー撮影装置１のＸ線入射面側の表面、水平撮影台の天板表面、透視撮影台の天板表面などに適用できる。
絶縁シート３ｂは、ポリエチレンテレフタレート（ＰＥＴ）またはポリエチレン（ＰＥ）が用いられ、Ｘ線透過性が良い。また、電極３ｄには、銅箔または銅板が用いられる。
制御回路３ｃは、外部に設けられ、発熱シート３の電極３ｄに接続され、発熱シート３に流れる交流又は直流電流を調節するもので、被検者の素肌が発熱シート３に触れても冷たさを感じさせない温度に調節される。
【００１３】
次に、本Ｘ線撮影装置の動作について説明する。
撮影前に発熱シート３の制御回路３ｃの電源を入力する。そして、発熱シート３に素肌で触れ、その温度が心地よい温度になった時点で、被検者をブッキー撮影装置１の前に立たせ、ブッキー撮影装置１をスタンド２のガイドレール２ａに沿って上下させ、被検者の撮影部位に高さ調整をして固定する。それに合わせてＸ線管装置の高さを調整する。そして、鮮明なＸ線像を撮影するために、被検者の撮影部位は素肌になるようにして、ブッキー撮影装置１の前面の発熱シート３に接触させる。被検者は、装置に接触しても以前のような冷たさを感じることなく、安心して落ち着いて大きく息を吸って呼吸を止め、その状態でＸ線照射が行われ胸部撮影が完了する。
【００１４】
次に、本Ｘ線撮影装置の他の実施例を、図２を参照しながら説明する。図２は、水平撮影台４に発熱シート６を用いた図を示す。本Ｘ線撮影装置は、水平式天板固定型の直接撮影台で、天板５の下側にブッキー撮影装置４ａが組込まれ、天板５の長手方向に移動でき、撮影部位に固定される。発熱シート６が天板５の表面に貼り付けられ、天板５の長手方向の両側に電極６ｄが設けられ、外部に設けられた制御回路６ｃがケーブル６ｅで電極６ｄに接続され、制御回路６ｃによって発熱シート６が適当な所定の温度に調節されて使用される。
【００１５】
上記の実施例では、ブッキー撮影装置１、４ａが組み込まれた立位式撮影台（撮影スタンド）と水平式天板固定型撮影台（撮影テーブル）について説明したが、その他の直接撮影台、間接撮影台、断層撮影台、透視撮影台などにも適用することが出来る。
また、発熱シート３は脱着自在のフレキシブルシート状にして、季節などによって、また検査室の温度状況などによって、また装置の状態（特に温度が低い装置）などによって使用できるようにすることができる。
さらに、常に体温温度に設定することもでき、場合によっては温度調節を不要とすることもできる。したがって調節機構の設置は絶対条件ではない。
【００１６】
【発明の効果】
本発明のＸ線撮影装置は上記のように構成されており、撮影台表面に被検者の撮影部位の素肌が触れても冷たさを感じさせないように、表面に発熱シートが貼られ、外部に設けられた制御回路でその温度が調節されているので、撮影台表面に被検者の素肌が触れても冷たい思いをせずに、安心して撮影台に接触し、常に心地よい温度で、息を止め静止して撮影を行うことができる。
【図面の簡単な説明】
【図１】本発明のＸ線撮影装置の一実施例を示す図である。
【図２】本発明のＸ線撮影装置の他の実施例を示す図である。
【図３】従来のＸ線撮影装置を示す図である。
【符号の説明】
１  ブッキー撮影装置
２  スタンド
２ａ  ガイドレール
３  発熱シート
３ａ  発熱素子
３ｂ  絶縁シート
３ｃ  制御回路
３ｄ  電極
３ｅ  ケーブル
４  水平撮影台
４ａ  ブッキー撮影装置
５  天板
６  発熱シート
６ｃ  制御回路
６ｄ  電極
６ｅ  ケーブル
【図１】
2005021233.tif 000003
【図２】
2005021233.tif 000004
【図３】
2005021233.tif 000005